(57)【要約】【課題】加圧ポンプを設置することなくタンクレストイレ１の洗浄機能を高めることができるばかりでなく、自ら凍結防止機構を備え、しかも凍結防止機構を備えていても装置の部品点数が極端に増加することがなく、凍結防止機構の操作も簡単なトイレ洗浄補助装置１１を提供する。【解決手段】  洗浄水貯留タンクを備えず洗浄水供給側３から直接、洗浄水の供給を受けるタンクレストイレ１に用いられるトイレ洗浄補助装置１１であって、給水口２１、逆止弁４１、減圧部７１と、蓄圧部９１、開閉弁１０１、出水口１２１、バイパス流路１３１およびバイパス弁１３２を有している。また逆止弁４１のセット荷重はこれを、洗浄水供給側３から流動圧が作用したときには開弁せず静水圧が作用したときのみ開弁するよう設定した。【選択図】図１
2005068838.tif 000002
【特許請求の範囲】
【請求項１】
洗浄水貯留タンクを備えず洗浄水供給側（３）から直接、洗浄水の供給を受けるタンクレストイレ（１）に用いられるトイレ洗浄補助装置（１１）であって、
洗浄水供給配管（７）に接続されて洗浄水の供給を受ける給水口（２１）と、前記洗浄水の逆流を防止する逆止弁（４１）と、前記洗浄水の圧力をトイレ洗浄に適した２次圧に減圧する減圧部（７１）と、前記２次圧洗浄水を蓄える蓄圧部（９１）と、前記２次圧洗浄水の流通を遮断および開放する開閉弁（１０１）と、前記２次圧洗浄水を放出する出水口（１２１）と、前記開閉弁（１０１）を迂回するバイパス流路（１３１）と、前記バイパス流路（１３１）を開閉するバイパス弁（１３２）とを有し、
前記逆止弁（４１）のセット荷重を、洗浄水供給側（３）から比較的低圧の流動圧が作用したときには開弁せず比較的高圧の静水圧が作用したときのみ開弁するよう設定したことを特徴とするトイレ洗浄補助装置。
【請求項２】
請求項１のトイレ洗浄補助装置において、
給水口（２１）と逆止弁（４１）との間に、洗浄水中の異物を除去するストレーナ（３１）を設けたことを特徴とするトイレ洗浄補助装置。
【発明の詳細な説明】
【技術分野】
【０００１】
本発明は、タンクレストイレに用いられるトイレ洗浄補助装置に関するものである。
【背景技術】
【０００２】
近年、トイレの省スペース化として、洗浄水貯留タンクを備えないタンクレストイレが急速に普及しているが、このタンクレストイレをリフォーム等で古い家屋に設置する場合（老朽化により配管内が細くなっている）や高台の家屋に設置する場合には、水圧（流動圧）不足により、汚物排出機能が有効に作動しないことがある。この場合、そのままではタンクレストイレを設置することができないため、加圧ポンプを並設することにより水圧を高める必要がある（特許文献１参照）。
【０００３】
しかしながら、加圧ポンプは常時電力を消耗し、作動音も大きいため、狭いスペースのトイレで使用するには難点がある。
【０００４】
以上の点に鑑み、本願発明者は先に、加圧ポンプを設置することなくタンクレストイレの洗浄機能を高めることができるトイレ洗浄補助装置を提案している。
【０００５】
すなわち、このトイレ洗浄補助装置は、図７に示すように、洗浄水貯留タンクを備えず洗浄水供給側３から直接、洗浄水の供給を受けるタンクレストイレ１に用いられるトイレ洗浄補助装置１１であって、洗浄水供給配管７に接続されて洗浄水の供給を受ける給水口２１と、洗浄水中に含まれる異物を除去するストレーナ３１と、洗浄水の逆流を防止する逆止弁４１と、洗浄水の流通を遮断および開放する第一開閉弁５１と、洗浄水の圧力をトイレ洗浄に適した２次圧に減圧する減圧部７１と、２次圧洗浄水を蓄える蓄圧部９１と、２次圧洗浄水の流通を遮断および開放する第二開閉弁１０１と、２次圧洗浄水を放出する出水口１２１とを有しており、以下のように作動する。
【０００６】
すなわち、当該洗浄補助装置１１は通常、蓄圧部９１に洗浄水を蓄えていない状態にあり、第一および第二開閉弁５１，１０１は何れも閉弁状態（ノーマルクローズ（Ｎ／Ｃ））にある。人がトイレに入ると適宜信号を受けて第一開閉弁５１が開弁し、蓄圧を開始する。第一開閉弁５１が開弁すると、給水口２１から当該装置１１内へ流入した洗浄水は第一開閉弁５１を経て減圧部７１に至り、ここでトイレ洗浄に適した２次圧に減圧され、蓄圧部９１に至る。このとき第二開閉弁１０１は閉弁しているため、洗浄水は外部へ放出されることなく蓄圧部９１に蓄えられる。また、この段階でトイレ本体には洗浄水が流れていないため、１次圧には静水圧が印加され、よってジェット洗浄（サイホン効果）を作動させるのに必要十分な圧力（エネルギー）を蓄圧部９１に蓄積することができる。トイレ洗浄時には適宜信号を受けて第二開閉弁１０１が開弁し、蓄圧部９１に蓄えていた洗浄水を出水口１２１から一挙に放出する。
【０００７】
上記構成のトイレ洗浄補助装置１１によれば、蓄圧部９１に蓄えた２次圧洗浄水をトイレ洗浄に利用するので、加圧ポンプを設置することなくタンクレストイレ１の洗浄機能を高めることができ、よって古い家屋や高台の家屋などでも配管を取り替えたり加圧ポンプを併設したりすることなく、タンクレストイレ１を設置することが可能とされている。
【０００８】
しかしながら、上記構成のトイレ洗浄補助装置１１には、以下の点で改良の余地がある。
【０００９】
すなわち、上記構成のトイレ洗浄補助装置１１を厳寒地などで使用することを考えると、その凍結防止対策として、装置１１全体に絶えず少量の水を流す必要があるが、当該装置１１には開閉弁５１，１０１が２つ（入力制御用と出力制御用）備えられているため、装置１１全体に絶えず少量の水を流すには、２つの開閉弁５１，１０１にそれぞれバイパス流路と、このバイパス流路を開閉するバイパス弁とを設けなければならない。
【００１０】
したがって、トイレ洗浄補助装置１１の部品点数が極端に増加する不都合があり、また、エンドユーザーにとっても２つのバイパス弁を同時に切替え操作しなければならないために、操作が面倒で、かつ誤操作し易い不都合がある。
【００１１】
【特許文献１】特開２００３−１３８６２３号
【発明の開示】
【発明が解決しようとする課題】
【００１２】
本発明は以上の点に鑑みて、加圧ポンプを設置することなくタンクレストイレの洗浄機能を高めることができるばかりでなく、自ら凍結防止機構を備え、しかも凍結防止機構を備えていても装置の部品点数が極端に増加することがなく、凍結防止機構の操作も簡単なトイレ洗浄補助装置を提供することを目的とする。
【課題を解決するための手段】
【００１３】
上記目的を達成するため、本発明の請求項１によるトイレ洗浄補助装置は、洗浄水貯留タンクを備えず洗浄水供給側から直接、洗浄水の供給を受けるタンクレストイレに用いられるトイレ洗浄補助装置であって、洗浄水供給配管に接続されて洗浄水の供給を受ける給水口と、前記洗浄水の逆流を防止する逆止弁と、前記洗浄水の圧力をトイレ洗浄に適した２次圧に減圧する減圧部と、前記２次圧洗浄水を蓄える蓄圧部と、前記２次圧洗浄水の流通を遮断および開放する開閉弁と、前記２次圧洗浄水を放出する出水口と、前記開閉弁を迂回するバイパス流路と、前記バイパス流路を開閉するバイパス弁とを有し、前記逆止弁のセット荷重を、洗浄水供給側から比較的低圧の流動圧が作用したときには開弁せず比較的高圧の静水圧が作用したときのみ開弁するよう設定したことを特徴とするものである。
【００１４】
また、本発明の請求項２によるトイレ洗浄補助装置は、上記した請求項１のトイレ洗浄補助装置において、給水口と逆止弁との間に、洗浄水中の異物を除去するストレーナを設けたことを特徴とするものである。
【００１５】
上記構成を備えた本発明のトイレ洗浄補助装置は、以下のように作動する。
【００１６】
すなわち、本発明のトイレ洗浄補助装置は通常、蓄圧部に洗浄水を蓄えた状態にあり、開閉弁が閉弁してこれを止水している。バイパス流路およびバイパス弁よりなる凍結防止機構（流動バルブとも称する）は、その非使用時はバイパス弁を閉弁しているが、使用時はバイパス弁を開弁し、少量の水を開閉弁を迂回させて流動させる。トイレ洗浄時には適宜信号を受けて開閉弁が開弁し、蓄圧部に蓄えていた洗浄水を出水口から一挙に放出する。開弁および放出は、トイレ本体がサイホン効果によって汚物を排出するジェット洗浄作動時とタイミングを合わせられる。放出後、開閉弁は閉弁する。
【００１７】
蓄圧部に蓄えられていた洗浄水が放出されると、新たに洗浄水供給側から本装置へ洗浄水が供給される。洗浄水は給水口から逆止弁を経て減圧部に至り、ここでトイレ洗浄に適した２次圧に減圧され、蓄圧部に至る。このとき開閉弁は閉弁しているため、洗浄水は外部へ放出されることなく蓄圧部に蓄えられる。また、後記する逆止弁の洗浄水流入制御機能によって、この蓄圧はトイレ本体の洗浄作動が終了してから行なわれるため、１次圧としては比較的高圧の静水圧が印加される。したがって、トイレ本体のジェット洗浄（サイホン効果）を作動させるのに必要十分な圧力（エネルギー）を蓄圧部に蓄えることができる。
【００１８】
逆止弁は、本来、当該洗浄補助装置ないしトイレ本体側に異常高圧が発生したときにその逆流を防止するために設けられるが、本発明では特に、この逆止弁のセット荷重が洗浄水供給側から比較低低圧の流動圧が作用したときには開弁せず比較的高圧の静水圧が作用したときのみ開弁するよう大きく設定されている。これは、以下の理由による。
【００１９】
すなわち、上記図７の先行技術において、逆止弁４１はその本来の逆流防止機能を発揮するためにのみ設けられており、よってこの逆止弁４１のセット荷重は比較的小さく、洗浄水供給側３から比較的高圧の静水圧が作用したときのみならず比較的低圧の流動圧が作用したときにも開弁するように設定されている（具体的には、セット荷重は約３０ｇと大変小さく、日本水道協会の逆止弁の基準である「３ｋＰａの逆圧で漏れ無きこと」を満足する最低限のスプリング力に設定されている）。
【００２０】
一方、上記図７の先行技術に見られる不都合（部品点数の極端な増加やバイパス弁操作性の不便さ）を解消するには、入力制御側の開閉弁５１を廃止してバイパス流路およびバイパス弁を１箇所のみにすれば良いが、逆止弁４１のセット荷重を変更せずにこのように入力制御側の開閉弁５１を廃止すると、タンクレストイレ１の洗浄中でも、蓄圧部９１に蓄えた水を放出次第、当該洗浄補助装置１１にも新たに水が流入し始める。したがってその分、タンクレストイレ１への供給水量が減少し、洗浄不良を引き起こす可能性がある。
【００２１】
そこで、本発明では、逆止弁のセット荷重を大幅に増大させて、洗浄水供給側から比較的低圧の流動圧が作用したときには開弁せず比較的高圧の静水圧が作用したときのみ開弁するよう設定することとし、これにより、通常であれば蓄圧部内の蓄圧分が吐水されたと同時に蓄圧が始まるところを、タンクレストイレの洗浄が完了するまでは蓄圧が開始されないよう遅らせることにした（タンクレストイレに通水されている間は、配管内の圧力が流動圧（０．０７ＭＰａ以下）となり、止水圧に対して大きく低下する。このときの流動圧では逆止弁が開放されないため、装置に水が供給されることはない）。タンクレストイレの洗浄が完了すると、配管内の圧力が流動圧から静水圧へと変化するため、この時点で逆止弁を開弁させ、次回の洗浄に必要な蓄圧を開始する。このように本発明では、逆止弁が、その本来の逆流防止機能のみでなく、洗浄水流入制御機能を備えている。
【００２２】
また、給水口と逆止弁との間にストレーナを設置すると、ここを洗浄水が通過するときに洗浄水中の異物を除去することが可能となる。
【００２３】
また、蓄圧部としては、電力を消耗せず、また大きな作動音の発生しないアキュムレータを用いるのが好ましい。
【発明の効果】
【００２４】
本発明は、以下の効果を奏する。
【００２５】
すなわち、上記構成を備えた本発明の請求項１によるトイレ洗浄補助装置によれば、蓄圧部に蓄えた２次圧洗浄水をトイレ洗浄に利用するので、加圧ポンプを設置することなくタンクレストイレの洗浄機能を高めることができる。したがって、古い家屋や高台の家屋などでも配管を取り替えたり加圧ポンプを併設したりすることなく、タンクレストイレを設置することが可能となる。
【００２６】
また、開閉弁を迂回するバイパス流路およびこのバイパス流路を開閉するバイパス弁を有しているために、絶えず少量の水を流すことにより、トイレ洗浄補助装置に凍結現象が発生するのを防止することができる。
【００２７】
また、バイパス流路およびバイパス弁の設置数が１箇所のみとされているために、凍結防止機構を備えていながら装置の部品点数が極端に増加するのを防止することができ、併せて、凍結防止機構の操作を容易化することができる。
【００２８】
また、逆止弁のセット荷重を大幅に増大させて、洗浄水供給側から比較的低圧の流動圧が作用したときには開弁せず比較的高圧の静水圧が作用したときのみ開弁するよう設定したために、タンクレストイレ自らが洗浄作動しているときには当該洗浄補助装置へ洗浄水が供給されない。したがって、タンクレストイレへの供給水量が減少して洗浄不良が発生するのを未然に防止することができる。
【００２９】
またこれに加えて、本発明の請求項２による洗浄補助装置によれば、給水口と逆止弁との間にストレーナを設置したために、洗浄水中の異物を除去することができる。したがって、装置内部の深部にまで異物が浸入して目詰まり等の作動障害が発生するのを未然に防止することが可能となる。
【発明を実施するための最良の形態】
【００３０】
つぎに本発明の実施形態を説明する。
【００３１】
図７に示したように、タンクレストイレ１には、洗浄水貯留タンクが設置されておらず、トイレ洗浄時に人が操作部（図示せず）を操作すると洗浄バルブ２が作動して、洗浄水供給側である水道配管３からタンクレストイレ１に直接、洗浄水が供給される。洗浄バルブ２には、リム４を洗浄するリム洗浄機能を発揮するためのリム側出力部５と、汚物を排出するジェット洗浄機能を発揮するためのジェット側出力部６とが並設されており、洗浄バルブ２が作動すると、先ずリム側出力部５が作動して渦流によりリム４内面を洗浄し、引き続きジェット側出力部６が作動して汚物を排出する。しかしながら古い家屋や高台の家屋などでは、後者のジェット側出力部６の作動時に水圧が不足することがあり、これを補助するためにトイレ洗浄補助装置１１が設置されている。当該洗浄補助装置１１はその機能からして、蓄圧装置と称しても良い。
【００３２】
図１に示すように、当該洗浄補助装置１１は、その構成要素として、水道配管３から分岐した洗浄水供給配管７に接続される給水口２１と、供給水中の異物を除去するストレーナ３１と、水の逆流を防止する逆止弁４１と、１次圧をトイレの洗浄能力が十分に発揮できる圧力（２次圧）にまで減圧する減圧部（減圧弁）７１と、２次圧を吐水エネルギーとして蓄圧する蓄圧部（アキュムレータ）９１と、水を蓄圧および吐水する開閉弁（電磁弁）１０１と、２次圧を放出する出水口１２１と、開閉弁１０１を迂回するバイパス流路１３１と、バイパス流路１３１を開閉するバイパス弁１３２とを有している。
【００３３】
また、逆止弁４１のセット荷重は、水道配管３側から比較的低圧の流動圧が作用したときには開弁せず、比較的高圧の静水圧が作用したときのみ開弁するように設定されており、これにより逆止弁４１に、上記した洗浄水流入制御機能が設定されている。逆止弁４１のセット荷重は、具体的には例えば約８００ｇであって、これは従来対比約２５倍と極めて強力なものである。
【実施例】
【００３４】
つぎに、より詳細な本発明の実施例を図面にしたがって説明する。
【００３５】
図２は、本発明の実施例に係るトイレ洗浄補助装置１１の正面図、図３は同装置１１の右側面図を示している。尚、両図では、同装置１１の本体構造を明らかにするため、ゴム足１５付きのベース１４およびドーム状のケース１６よりなる外カバー１３はこれを断面で描いている。また、図４は図２におけるＡ−Ａ線断面図、図５は図３におけるＢ−Ｂ線断面図を示している。
【００３６】
当該実施例に係るトイレ洗浄補助装置１１は、洗浄水貯留タンクを備えておらず洗浄水供給源である水道配管からトイレに直接、洗浄水を供給するタイプのタンクレストイレに用いられるものであって、以下のように構成されている。
【００３７】
すなわち、図２および図３に示すように、上記外カバー１３の内部に、多数の部品群の組み合わせによって洗浄補助装置本体１２が組み立てられており、この装置本体１２に、洗浄水供給配管に接続されて１次圧洗浄水の供給を受ける給水口２１と、洗浄水中の異物を除去するストレーナ３１（図４）と、洗浄水の逆流を防止する逆止弁４１（図４）と、１次圧洗浄水の圧力をトイレ洗浄に適した２次圧にまで減圧する減圧部としての減圧止水弁７１と、２次圧洗浄水を蓄える蓄圧部としてのアキュムレータ９１と、２次圧洗浄水の流通を遮断および開放する開閉弁としての止水弁１０１と、２次圧洗浄水を放出する出水口１２１と、止水弁１０１を迂回するバイパス流路１３１（図５）と、バイパス流路１３１を開閉するバイパス弁１３２（図５）とが備えられている。
【００３８】
図４に示すように、上記各構成要素のうち先ず、給水口２１は、入力ポート部材２２によって形成されており、この入力ポート部材２２は、その一端をストレーナボディ３２に連結され、他端はここに洗浄水供給配管を接続できるよう、この他端を外カバー１３のケース１６に設けた穴部１７から装置外部に突出させている（図２）。
【００３９】
ストレーナ３１は、上記したように洗浄水中の異物を除去するためのものであって、ストレーナボディ３２の内部に挿入されたフィルター保持部材３３と、この保持部材３３に保持されたメッシュ状のフィルター３４とを有している。保持部材３３は、有底円筒状部品の周面に複数の開口（図示せず）を設けたものであって、その内周側に同じく円筒状に形成されたフィルター３４を保持している。保持部材３４の底部側一端は、ストレーナボディ３２の一端に着脱自在に取り付けられたキャップ３５に連結されており、よってボディ３２からキャップ３５を取り外すことによりストレーナ３１を取り外すことができ、フィルター３４のメンテナンスが可能とされている。キャップ３５はその着脱作業およびフィルター３４のメンテナンス作業を容易に行なえるよう、外カバー１３のケース１６の外側に露出している（図２）。また保持部材３３の他端には、逆止弁４１が組み付けられている。給水口２１からストレーナボディ３２に入った洗浄水は、保持部材３３の外周側から開口を経て保持部材３３の内周側に流入し、このときフィルター３４を通過するので、異物の濾過が行なわれる。保持部材３３の内周側に流入した洗浄水はその後、逆止弁４１の方向（図上右方向）に流れる。
【００４０】
逆止弁４１は、上記したように洗浄水の逆流を防止するためのものであって、フィルター保持部材３３の他端に設けられた弁座４２と、ストレーナボディ３２の内部に挿入された弁蓋４３と、弁蓋４３に保持されて弁座４２に向けて進退するポペット４４と、ポペット４４に保持されて弁座４２に接離自在に着座するＯリングよりなる弁体４５と、ポペット４４および弁体４５を閉弁方向に向けて弾性付勢するスプリング４６とを有している。
【００４１】
また、この逆止弁４１のセット荷重は、洗浄水供給配管側から比較的低圧の流動圧が作用したときには開弁せず、比較的高圧の静水圧が作用したときのみ開弁するよう従来対比約２５倍の約８００ｇの大きさに設定されており、これにより逆止弁４１に、トイレ本体の洗浄作動が終了してから開弁して当該洗浄補助装置１１へ次回使用分の洗浄水を供給する洗浄水流入制御機能が設定されている。
【００４２】
減圧止水弁７１は、上記したように１次圧洗浄水の圧力をトイレの洗浄に適した０．２ＭＰａ程度の２次圧にまで減圧するためのものであって、ボディ３２の流入口７２と流出口７３との間に図上下向きに設けられた弁座７４と、弁座７４に接離自在に着座する弁体（調圧ゴム）７５と、弁体７５を保持するとともにボディ３２に取り付けた弁蓋７６に摺動自在に挿入された弁体保持部材（ピン）７７と、保持部材７７および弁体７５を閉弁方向に向けて弾性付勢するスプリング７８と、弁座７４の反対側（図上上側）においてボディ３２および調圧カバー７９間に保持したダイアフラム８０に取り付けられるとともに弁孔８１に挿入されて弁体７５と当接するシャフト８２と、調圧カバー７９にねじ込まれた調圧ネジ８３と、ダイアフラム８０および調圧ネジ８３間に架設されてダイアフラム８０およびシャフト８２をシャフト８２が弁体７５を押圧する方向に向けて弾性付勢する調圧スプリング８４とを有している。この減圧止水弁７１は、スプリング７８および調圧スプリング８４のばね力ならびに流入１次圧などの均衡点を求めて弁体７５が弁座７４に対して近付いたり離れたりする方向に移動し、この均衡作動によって１次圧を２次圧に減圧する。減圧値は、調圧ネジ８３のねじ込み量を変更することによりばね力が変わるので、調節可能である。尚、流路としては、弁孔８１の図上上側の流出口７３（ダイアフラム室）が図５のアキュムレータ９１の入出力口９３および止水弁１０１の流入口１０３に連通する。
【００４３】
アキュムレータ９１は、上記したように減圧部である減圧止水弁７１によって減圧された２次圧洗浄水を蓄えるためのものであって、図２および図３に示すように、シェル９２を有しており、このシェル９２の内部空間がブラダやピストン等の差動部材（図示せず）によって、ガスを封入したガス室と、入出力口９３（図５）を介して減圧止水弁７１および止水弁１０１間の流路に連通するフルード室とに区分けされている。
【００４４】
止水弁１０１は、上記したように２次圧洗浄水の流通を遮断および開放するためのものであって、図５に示すように、常時閉形（Ｎ／Ｃ）のパイロット式電磁弁よりなり、出力ボディ１０２の流入口１０３と流出口１０４との間に図上右向きに設けられた弁座１０５と、弁座１０５に接離自在に着座するダイアフラム１０７およびセンタープレート１０８よりなる弁体１０６と、弁蓋１０９と、磁性体製プランジャ１１０と、プランジャ１１０の一端に取り付けられて弁体１０６のパイロット孔１１４周縁部に接離自在に当接するパイロット弁体（鉄心ゴム）１１１と、プランジャ１１０および弁体１０６を閉弁方向に向けて弾性付勢するスプリング１１２と、プランジャ１１０を開弁方向に向けて吸引するソレノイド部１１３とを有しており、弁体１０６には複数のパイロット孔１１４，１１５が設けられている。この止水弁１０１は、スプリング１１２の弾性により常時閉弁しており、通電によりソレノイド部１１３が励磁されるとその磁力により開弁作動する。
【００４５】
出水口１２１は、出力ボディ１０２に一体成形された出力ポート部材１２２によって形成されており、この出力ポート部材１２２はその一端に出力配管を接続できるよう、この一端を外カバー１３のケース１６に設けた穴部１７から装置外部に突出させている（図２）。
【００４６】
バイパス流路１３１およびバイパス弁１３２は、以下の安全弁１３３にその一部として設けられている。
【００４７】
すなわち先ず、上記出力ボディ１０２に安全弁ボディ１３４が取り付けられており、この安全弁ボディ１３４に、止水弁１０１の流入口１０３側に連通する入力ポート１３５と、止水弁１０１の流出口１０４側に連通する出力ポート１３６と、両ポート１３５，１３６の中間に配置され、出力ポート１３６の方を向いた弁座１３７とが設けられている。入力ポート１３５は、弁座１３７の内側空間に連通している。入力ポート１３５または出力ポート１３６（図では出力ポート１３６）には固定オリフィス１３８が組み込まれている。また、ボディ１３４の内部であって出力ポート１３６側には調圧スクリュー１３９がねじ込まれており、この調圧スクリュー１３９と弁座１３７との間に、弁座１３７に接離自在に着座する弁体（シールゴム）１４０と、弁体保持部材１４１と、保持部材１４１および弁体１４０を閉弁方向に向けて弾性付勢するスプリング１４２とが設けられている。
【００４８】
このボディ１３４、調圧スクリュー１３９、弁体１４０、保持部材１４１およびスプリング１４２等よりなる安全弁１３３は、当該洗浄補助装置１１内に異常高圧が発生したときにこれを開放するものであって、また調圧スクリュー１３９のねじ込み加減や取外しによって、凍結防止機構（流動バルブとも称する）１３３Ａまたは排出ポート１３３Ｂとしても機能する（図６）。
【００４９】
（１）安全弁１３３としての機能
上記安全弁１３３は、通常状態において、スプリング１４２の弾性によって弁体１４０が弁座１３７に押し付けられて閉弁しており、安全弁１３３として機能する。すなわち、当該洗浄補助装置１１内に何らかの異常が発生して内部圧力（２次圧）が高くなると、開弁作動して異常高圧を出力ポート１３６から出水口１２１側へ開放する。スプリング１４２のセット荷重は、調圧スクリュー１３９のねじ込み加減によって調整が可能である。
【００５０】
（２）凍結防止機構１３３Ａとしての機能
また、当該洗浄補助装置１１を厳寒地などで使用する場合には、調圧スクリュー１３９のねじ込み加減を緩めて、スプリング１４２のセット荷重を小さく設定する。このとき、
スプリングセット荷重＜２次圧が弁体を押す力
となるようにスプリング１４２のセット荷重を設定すると、上記安全弁１３３は２次圧力により常時開弁状態となる。この状態で、入力ポート１３５または出力ポート１３６には固定オリフィス１３８が設けられているので、当該洗浄補助装置１１は２次圧を保った状態で一定流量の水を流すことになり、凍結防止機構１３３Ａとして作動する。尚、この場合は、入力ポート１３５から出力ポート１３６に至るボディ１３４内の流路によってバイパス流路１３１が形成され、弁座１３７および弁体１４０がバイパス流路１３１を開閉するバイパス弁１３２として機能する（仮に調圧スクリュー１３９を強くねじ込むと、弁体１４０は２次圧が作用しても弁座１３７から離れなくなり、開弁しなくなる、但しこの場合には安全弁機能も喪失する）。
【００５１】
（３）排水ポート１３３Ｂとしての機能
さらに当該洗浄補助装置１１を長期間使用しない場合（例えば別荘地における閑期等）には、ボディ１３４から調圧スクリュー１３９を外し、スプリング１４２、保持部材１４１および弁体１４０も抜き取る。これで当該洗浄補助装置１１の内部は大気側と完全に繋がった状態となり、よって装置内部の水を完全に排出することが可能となる。
【００５２】
上記構成の洗浄補助装置１１の回路構成は図６に示すとおりであり、当該洗浄補助装置１１は通常、アキュムレータ９１に洗浄水を蓄えた状態にあり、止水弁１０１が閉弁してこれを止水している。
【００５３】
バイパス流路１３１およびバイパス弁１３２よりなる凍結防止機構１３３Ａはその非使用時はバイパス弁１３２を閉弁しているが、使用時はバイパス弁１３２を開弁し、少量の水を止水弁１０１を迂回させて流動させる。
【００５４】
トイレの洗浄時、人が操作レバー等の操作部を操作すると、トイレ本体のリム側出力部およびジェット側出力部が相次いで作動し、後者のジェット側出力部が作動するときに当該洗浄補助装置１１の止水弁１０１がトイレ本体からの信号を受けて開弁する。止水弁１０１が開弁すると、アキュムレータ９１に蓄えられていた２次圧洗浄水が当該止水弁１０１を経て出水口１２１に至り、この出水口１２１から出力配管を経てトイレ本体側へと勢い良く放出する。したがって、トイレ本体のジェット側出力部だけでは圧力や流量が不足する場合であってもこれを補助し、トイレの洗浄機能を高めることができる。
【００５５】
アキュムレータ９１に蓄えられていた洗浄水が放出されると、新たに洗浄水供給配管から当該洗浄補助装置１１へ洗浄水が供給される。洗浄水は給水口２１から逆止弁４１を経て減圧止水弁７１に至り、ここでトイレ洗浄に適した０．２ＭＰａ程度の２次圧に減圧され、アキュムレータ９１に至る。このとき止水弁１０１は閉弁しているため、洗浄水は外部へ放出されることなくアキュムレータ９１に蓄えられる。このとき蓄えられる圧力は上記したように０．２ＭＰａ程度であって、かつ水量は３５０〜４５０ｃｃ程度である。またこの蓄圧段階では、上記した逆止弁４１の洗浄水流入制御機能によってトイレ本体には洗浄水が流れていないため、１次圧には比較的高圧の静水圧が印加される。したがって、トイレ本体のジェット洗浄（サイホン効果）を作動させるのに必要十分な圧力（エネルギー）をアキュムレータ９１に蓄えることができる。
【００５６】
また、このほか、上記構成の洗浄補助装置１１によれば、以下の作用効果が発揮される。
【００５７】
すなわち先ず、止水弁１０１を迂回するバイパス流路１３１およびこのバイパス流路１３１を開閉するバイパス弁１３２が設けられているために、絶えず少量の水を流すことにより、当該洗浄補助装置１１に凍結現象が発生するのを防止することができる。
【００５８】
また、バイパス流路１３１およびバイパス弁１３２の設置数が１箇所のみで良いために、凍結防止機構１３３Ａを備えていながら装置１１の部品点数が極端に増加するのを防止することができ、併せて、凍結防止機構１３３Ａの操作を容易化することができる。
【００５９】
また、逆止弁４１のセット荷重を大幅に増大させて、洗浄水供給配管から比較的低圧の流動圧が作用したときには開弁せず比較的高圧の静水圧が作用したときのみ開弁するよう設定したために、トイレ本体が洗浄作動しているときには当該洗浄補助装置１１へ洗浄水が供給されず、洗浄水の供給はトイレ本体の洗浄作動の終了を待って行なわれる。したがって、タンクレストイレへの供給水量が減少して洗浄不良が発生するのを未然に防止することができる。
【００６０】
またこれに加えて、逆止弁４１本来の機能により洗浄水の逆流を防止することができ、ストレーナ３１のフィルター機能により洗浄水中の異物を除去することができる。
【００６１】
また、当該洗浄補助装置１１が放出する水量は上記したとおり３５０〜４５０ｃｃ程度と比較的少量であるため、タンクレストイレの利点である省節水性能を維持することができる。
【００６２】
更にまた、蓄圧部としてアキュムレータ９１を用いるようにしたために、多量の電力を消耗したり、大きな作動音が発生したりする問題を解消することができる。
【産業上の利用可能性】
【００６３】
本発明のトイレ洗浄補助装置は、上記したように近年急速に普及しているタンクレストイレに有効に利用される。タンクレストイレは、洗浄水貯留タンクを備えず洗浄水供給側から直接洗浄水の供給を受けるタイプのトイレ便器を広く呼称するもので、メーカー各社から多様な製品が提供されつつあるが、本発明装置はこれらに対して遍く利用することが可能である。
【図面の簡単な説明】
【００６４】
【図１】本発明の実施形態に係るトイレ洗浄補助装置の回路構成説明図
【図２】本発明の実施例に係るトイレ洗浄補助装置の正面図
【図３】同右側面図
【図４】図２におけるＡ−Ａ線断面図
【図５】図３におけるＢ−Ｂ線断面図
【図６】同洗浄補助装置の回路構成説明図
【図７】先行技術に係るトイレ洗浄補助装置の回路構成説明図
【符号の説明】
【００６５】
１  タンクレストイレ
２  洗浄バルブ
３  水道配管（洗浄水供給側）
４  リム
５  リム側出力部
６  ジェット側出力部
７  洗浄水供給配管
１１  トイレ洗浄補助装置
１２  装置本体
１３  外カバー
１４  ベース
１５  ゴム足
１６  ケース
１７  穴部
２１  給水口
２２  入力ポート部材
３１  ストレーナ
３２  ストレーナボディ
３３  フィルター保持部材
３４  フィルター
３５，１３３  キャップ
４１  逆止弁
４２，７４，１０５，１３７  弁座
４３，７６，１０９  弁蓋
４４  ポペット
４５，７５，１０６，１４０  弁体
４６，７８，１１２，１４２  スプリング
７１  減圧止水弁（減圧部）
７２，１０３  流入口
７３，１０４  流出口
７７，１４１  弁体保持部材
７９  調圧カバー
８０，１０７  ダイアフラム
８１  弁孔
８２  シャフト
８３  調圧ネジ
８４  調圧スプリング
８５  ダイアフラム室
８６  フランジ
９１  アキュムレータ（蓄圧部）
９２  シェル
１０１  止水弁（開閉弁）
１０２  出力ボディ
１０８  センタープレート
１１０  プランジャ
１１１  パイロット弁体
１１３  ソレノイド部
１１４，１１５  パイロット孔
１２１  出水口
１２２  出力ポート部材
１３１  バイパス流路
１３２  バイパス弁
１３３  安全弁
１３３Ａ  凍結防止機構
１３３Ｂ  排水ポート
１３４  安全弁ボディ
１３５  入力ポート
１３６  出力ポート
１３８  固定オリフィス
１３９  調圧スクリュー
【図１】
2005068838.tif 000003
【図２】
2005068838.tif 000004
【図３】
2005068838.tif 000005
【図４】
2005068838.tif 000006
【図５】
2005068838.tif 000007
【図６】
2005068838.tif 000008
【図７】
2005068838.tif 000009